(57)【要約】【課題】背板を構成する化粧板間の継ぎ目が収納庫の正面に表れず、継ぎ目に沿った化粧板の境界部を仕切板若しくは棚板へ固定する組み立て式収納庫を提供する。【解決手段】仕切板若しくは棚板の背面で連結される少なくとも一組の一方の背板分割板を、その裏当支持枠を仕切板若しくは棚板の背面に鋲着若しくはネジ止めする第１連結具により、仕切板若しくは棚板に固定すると共に、一組の他方の背板分割板を、仕切板若しくは棚板の背面側で隣接する一組の背板分割板の裏当支持枠間を鋲着若しくはネジ止めする第２連結具により、一組の一方の背板分割板を介して仕切板若しくは棚板に固定する。【選択図】図５
2017086818.tif 000002
【特許請求の範囲】
【請求項１】
上下に対向して配置される天板及び底板の左右両側に起立する一対の側板と、天板及び底板の背面側に起立する背板と、一対の側板の間に天板及び底板と平行に掛け渡される棚板と、一対の側板と平行に一対の側板の間に起立する仕切板とを、相互に組み付けて正面側が開口する直方体状に組み立てられ、建物の収納庫用空間に収容される組み立て式収納庫であって、
前記背板は、それぞれ、長方形の化粧板と、前記化粧板の背面側の輪郭に沿って固定される木製の裏当支持枠とからなる複数の背板分割板を同一平面上に連結して構成され、
前記仕切板若しくは前記棚板の背面で連結される少なくとも一組の一方の背板分割板は、その裏当支持枠と化粧板を前記仕切板若しくは前記棚板の背面に鋲着若しくはネジ止めする第１連結具により、前記仕切板若しくは前記棚板に固定されると共に、
前記一組の他方の背板分割板は、前記前記一組の背板分割板の裏当支持枠間を鋲着若しくはネジ止めする第２連結具により、前記一組の一方の背板分割板を介して前記仕切板若しくは前記棚板に固定されることを特徴とする組み立て式収納庫。
【請求項２】
第１連結具により鋲着若しくはネジ止めする前記仕切板若しくは前記棚板の背面に表れる木製固定部の前記一組の背板分割板の隣接方向に沿った厚みｔが、
第１連結具を鋲着若しくはネジ止め可能な木製固定部の前記隣接方向の最小幅をδｍｉｎとして、
δｍｉｎ＜ｔ＜２δｍｉｎである場合に、
前記一対の一方の背板分割板を、δｍｉｎからｔの間の前記隣接方向幅δで、他方の背板分割板を、前記隣接方向幅ｔ−δで、それぞれ前記木製固定部の背面に重ねることを特徴とする請求項１に記載の組み立て式収納庫。
【請求項３】
前記一組の背板分割板は、左右方向を短手方向として仕切板の背面で連結され、前記仕切板により仕切られる押入室とクローゼットの背面が、前記一組の一方と他方の背板分割板により覆われることを特徴とする請求項１又は請求項２のいずれか１項に記載の組み立て式収納庫。
【発明の詳細な説明】
【技術分野】
【０００１】
本発明は、一般住宅とする建物の建築時に収納庫用として形成された空間へ収容する組み立て式収納庫に関し、更に詳しくは、複数の背板分割板を連結して収納庫の背面を覆う背板を構成する組み立て式収納庫に関する。
【背景技術】
【０００２】
従来、工事現場での手間を削減し迅速な施工を目的として、建物の建築時には押入やクローゼット等の収納庫を収容する収納庫用空間のみを施工しておき、現場でユニット化した複数の長方形の板材を相互に連結して組み立てた収納庫を、収納庫用空間へ収容する組み立て式収納庫が知られている。一般にユニット化した板材としてベニヤなどの化粧板が用いられているが、量産して安価なものとするために、その長方形の輪郭は画一的なものとなっているので、収納庫の内奥壁面となる背板は、１枚の化粧板ではまかなえず、複数枚の化粧板を同一鉛直面上に沿って連結して背板としている（特許文献１参照）。
【０００３】
図６に示すように、組み立て式収納庫である特許文献１に記載の組み立て式押入１００は、縦長長方形の２枚の化粧板１０１、１０１を同一面上に連続させ、その境界に沿って配置される水平断面がＨ型のジョイナー１０２に、図７に示すように、２枚の化粧板１０１、１０１の各境界部１０１ａ、１０１ａを収容して、背板を構成する２枚の化粧板１０１、１０１を連結している。これにより、押入室に収納する物が背板を構成する化粧板１０１に正面から当接して化粧板に外力が加わったり、湿気などで湾曲方向の力が加わっても、各境界部１０１ａ、１０１ａの近傍がジョイナー１０２によって直線状に矯正されているので、化粧板１０１が湾曲したり、２枚の化粧板１０１、１０１の境界に隙間が生じることがない。
【０００４】
この組み立て式押入１００では、背板の正面側（押入室側）にジョイナー１０２が突出して表れるので、このようなジョイナー１０２を用いずに、２枚の化粧板１１１、１１１を連結して背板とした組み立て式収納ボックス１１０も知られている（特許文献２）。
【０００５】
この収納ボックス１１０は、図８に示すように、２枚の化粧板１１１、１１１の境界に沿って背面側から接着テープ１１２を貼り付けて２枚の化粧板１１１、１１１を仮止めし、仮止めした２枚の化粧板１１１、１１１の周囲を収納ボックス１１０の天板１１３、底板１１４及び左右の側板１１５、１１６の背面に固着し、その後、接着テープ１１２の上から補強板１１７を貼り付けて、２枚の化粧板１１１、１１１の境界を補強している。
【先行技術文献】
【特許文献】
【０００６】
【特許文献１】特開２００９−５７４９号公報
【特許文献２】特開２００９−１８９４６２号公報
【発明の概要】
【発明が解決しようとする課題】
【０００７】
特許文献１に示される組み立て式押入１００は、２枚の化粧板１０１、１０１の境界がジョイナー１０２で覆われるので、押入の正面から見た美感を損なうことがないが、水平断面がＨ型のジョイナー１０２を用意する必要があり、コスト上昇の原因となる。
【０００８】
また、２枚の化粧板１０１、１０１の背面側に化粧板１０１を水平方向に補強する裏当支持枠１０３が固定されるが、裏当支持枠１０３側に鉛直方向に配置されるジョイナー１０２との干渉を避けるための凹溝を形成する必要があると共に、ジョイナー１０２で先に化粧板１０１、１０１を連結して大形化した背板としなければ、天板、底板及び左右の側板の背面側に固定することができず、一体化した大型の背板を組み付ける組み立て作業は極めて困難なものとなっていた。
【０００９】
また、特許文献２に示される２枚の化粧板１１１、１１１を連結した背板は、押入の背板として用いた場合に、押入室内の正面側に２枚の化粧板１１１、１１１の継ぎ目が表れ、隙間なく継ぎ目が目立たないように連結する作業は、熟練した職人による手間を要する作業であり、どのように隙間なく連結しても直線状の継ぎ目は残り、美感を損なうものとなっていた。
【００１０】
更に、化粧板１１１、１１１の継ぎ目を補強する補強板１１７は、化粧板１１１自体が薄肉であるために補強板１１３を化粧板１１１にネジ止めや釘打ちで固定することができず、接着剤等で固定する他なかった。従って、補強板１１３で化粧板１１３を平面状態に維持することが困難であり、吸湿性の高い合板等からなる化粧板１１３は経年変化で湾曲して、継ぎ目に隙間が生じて更に美感を損なうものとなっていた。
【００１１】
本発明は、このような従来の問題点を考慮してなされたものであり、ジョイナーなどの別部品を用いず、化粧板間の継ぎ目が収納庫の正面側に表れない組み立て式収納庫を提供することを目的とする。
【００１２】
また、継ぎ目に沿った化粧板の境界部を、鋲着やネジ止めする連結具を用いて十分な厚みのない仕切板若しくは棚板の背面に固定可能な組み立て式収納庫を提供することを目的とする。
【課題を解決するための手段】
【００１３】
上述の目的を達成するため、請求項１の組み立て式収納庫は、上下に対向して配置される天板及び底板の左右両側に起立する一対の側板と、天板及び底板の背面側に起立する背板と、一対の側板の間に天板及び底板と平行に掛け渡される棚板と、一対の側板と平行に一対の側板の間に起立する仕切板とを、相互に組み付けて正面側が開口する直方体状に組み立てられ、建物の収納庫用空間に収容される組み立て式収納庫であって、前記背板は、それぞれ、長方形の化粧板と、前記化粧板の背面側の輪郭に沿って固定される木製の裏当支持枠とからなる複数の背板分割板を同一平面上に連結して構成され、前記仕切板若しくは前記棚板の背面で連結される少なくとも一組の一方の背板分割板は、その裏当支持枠と化粧板を前記仕切板若しくは前記棚板の背面に鋲着若しくはネジ止めする第１連結具により、前記仕切板若しくは前記棚板に固定されると共に、前記一組の他方の背板分割板は、前記一組の背板分割板の裏当支持枠間を鋲着若しくはネジ止めする第２連結具により、前記一組の一方の背板分割板を介して前記仕切板若しくは前記棚板に固定されることを特徴とする。
【００１４】
一組の背板分割板は、仕切板若しくは棚板の背面で連結されるので、背板分割板間の継ぎ目が収納庫の正面側に表れない。
【００１５】
仕切板若しくは棚板の背面で連結される一組の背板分割板は、それぞれ裏当支持枠を正面側に表れない第１連結具と第２連結具で鋲着若しくはネジ止めして仕切板若しくは棚板に固定するので、連結する継ぎ目で湾曲することない。また、各背板分割板の化粧板は、その背面側の輪郭に沿って固定される裏当支持枠により平面を維持するように補強される。
【００１６】
請求項２の組み立て式収納庫は、第１連結具により鋲着若しくはネジ止めする仕切板若しくは棚板の背面に表れる木製固定部の前記一組の背板分割板の隣接方向に沿った厚みｔが、
第１連結具を鋲着若しくはネジ止め可能な木製固定部の前記隣接方向の最小幅をδｍｉｎとして、
δｍｉｎ＜ｔ＜２δｍｉｎである場合に、
前記一対の一方の背板分割板を、δｍｉｎからｔの間の前記隣接方向幅δで、他方の背板分割板を、前記隣接方向幅ｔ−δで、それぞれ前記木製固定部の背面に重ねることを特徴とする。
【００１７】
仕切板若しくは棚板の木製固定部の隣接方向の厚みｔが、仕切板若しくは棚板の背面で連結する２枚の背板分割板を固定するのに十分な隣接方向幅２δｍｉｎ未満である場合に、第１連結具を鋲着若しくはネジ止め可能な木製固定部の隣接方向の最小幅をδｍｉｎより幅広の隣接方向幅δで一組の一方の背板分割板を木製固定部に重ね、一方の背板分割板が重ねられない残りの木製固定部の背面に一組の他方の背板分割板を重ねる。従って、一組の背板分割板間の境界は、木製固定部に覆われ、正面側に表れない。
【００１８】
一組の一方の背板分割板は、第１連結具により木製固定部に固定され、他方の背板分割板は、第２連結具により、木製固定部に固定された一方の背板分割板に固定される。
【００１９】
請求項３の組み立て式収納庫は、前記一組の背板分割板は、左右方向を短手方向として仕切板の背面で連結され、前記仕切板により仕切られる押入室とクローゼットの背面が、前記一組の一方と他方の背板分割板により覆われることを特徴とする。
【００２０】
仕切板により押入室とクローゼットが仕切られ、クローゼットの背面は、縦長に配置される１枚の背板分割板により覆われる。
【発明の効果】
【００２１】
請求項１の発明によれば、建物の収納庫用空間の幅に合わせた規格外の背板とするために、複数の背板を構成する背板分割板を継ぎ足してもその境界が収納庫の正面に表れない。
【００２２】
仕切板若しくは棚板の背面で連結される一組の背板分割板は、連結具を用いて直接若しくは間接に仕切板若しくは棚板に固定されるので、一組の背板分割板の継ぎ目の部分は強固に仕切板若しくは棚板の背面に固定され、湾曲して継ぎ目に隙間が生じることがない。
【００２３】
請求項２の発明によれば、仕切板若しくは棚板の木製固定部に、仕切板若しくは棚板の背面で連結される一組の２枚の背板分割板を固定する十分な厚みがない場合でも、一組の背板分割板を木製固定部に対して固定できる。
【００２４】
従って、仕切板若しくは棚板の厚みを薄型化することが可能となり、仕切板若しくは棚板で仕切られる収納庫内の空間を拡大させることができる。
【００２５】
請求項３の発明によれば、縦長のクローゼットの背面が１枚の背板分割板で覆われるので、２枚の背板分割板を連結することによる継ぎ目がクローゼットの正面側に表れない。
【図面の簡単な説明】
【００２６】
【図１】組み立て式押入１の正面図である。
【図２】組み立て式押入１の背面図である。
【図３】組み立て式押入１の正面上方側から見た斜視図である。
【図４】組み立て式押入１の要部分解斜視図である。
【図５】一組の背板分割板２０、２１と仕切板３との固定部を示す要部拡大断面図である。
【図６】従来の組み立て式押入１００の斜視図である。
【図７】組み立て式押入１００の化粧板１０１、１０１の連結部を示す要部拡大断面図である。
【図８】従来の収納ボックス１１０の化粧板１１１、１１１の連結構造を示す分解斜視図である。
【発明を実施するための形態】
【００２７】
以下、本発明の一実施の形態に係る組み立て式収納庫である組み立て式押入１を、図１乃至図５を用いて説明する。図１は、本実施の形態に係る組み立て式押入１の正面図、図２は、同背面図であり、これらの図に示すように、組み立て式押入１は、背面側に配置される背板２、左右両側に配置される左側板４と右側板５、平面側に配置される天板６、底面側に配置される底板７と、側板４、５間に水平に掛け渡され、上部の天袋１１を仕切る上部棚板８と、上部棚板８で仕切られる下方の空間を押入室１２とクローゼット１３に仕切る仕切板３と、仕切板３と左側板４間に水平に掛け渡され、押入室１２を上下に仕切るで下部棚板９とから構成される。
【００２８】
本実施形態において、背板２は、同一鉛直平面上に沿って配置される３枚の背板分割板２０、２１、２２を相互に連結して構成されている。３枚の背板分割板２０、２１、２２を連結した背板２は、図示しない建物の押入用空間に組み立て式押入１が収容されるように、全体の横幅が図示しない押入用空間の間口に、縦幅が挿入用空間の高さにほぼ一致する長方形状に形成され、正面から見て、左側背板分割板２０は押入室１２の背面を、右側背板分割板２１はクローゼット１３の背面を、上段側背板分割板２２は天袋１１の背面を、それぞれ覆っている。
【００２９】
従って、ここでは、始めに背板２を除く各板材３〜９を相互に釘打ち、ネジ止めなどで固定した後、これらの板材３〜９に対して直交する３枚の背板分割板２０、２１、２２を組み付ける。各背板分割板２０、２１、２２は、図２、図４に示すように、表面（正面から目視される組み立て式押入１の内面を表面という）側に図示しない化粧シートが貼り付けられた厚さ２．５ｍｍの化粧板２０ａ、２１ａ、２２ａと、化粧板２０ａ、２１ａ、２２ａの背面側に接着剤等で固定される木製ロッドからなる裏当支持枠２０ｂ、２１ｂ、２２ｂとから構成されている。ここで、化粧板としては、ベニヤなどの合板、石膏ボード、ＭＤＦ等の長繊維板、木材チップを接着してなるパーティクルボード等のいずれで構成してもよい。
【００３０】
このうち上段側背板分割板２２の化粧板２２ａは、汎用の長方形化粧板を横向きとして、幅１７５０ｍｍ、高さ４７０ｍｍの天袋１１の背面の大きさに一致するように、その周囲を裁断して形成される。また、左側背板分割板２０の化粧板２０ａと、右側背板分割板２１の化粧板２１ａは、汎用の長方形化粧板を縦向きとして、それぞれ高さ１９００ｍｍの押入室１２及びクローゼット１３の背面の大きさに一致するように、その周囲を裁断して形成される。
【００３１】
木製ロッドからなる裏当支持枠２０ｂ、２１ｂ、２２ｂは、各化粧板２０ａ、２１ａ、２２ａと同一輪郭形状となるように、幅３０ｍｍ、奥行き１８ｍｍの木製ロッドを交差させて矩形枠状に組み立てられる。各化粧板２０ａ、２１ａ、２２ａの背面側にその輪郭に沿って裏当支持枠２０ｂ、２１ｂ、２２ｂが固定されることにより、湿気などで湾曲しやすい化粧板２０ａ、２１ａ、２２ａが鉛直面に沿って平面状に維持されるとともに、背板分割板２０、２１、２２の強度が補強される。
【００３２】
図４、図５に示すように、左右方向に隣り合う一組の左側背板分割板２０と右側背板分割板２１の鉛直方向の継ぎ目Ｂの表面側に、押入室１２とクローゼット１３に仕切る仕切板３が配置される。仕切板３は、厚さ（左右方向の幅）ｔが２０ｍｍ、奥行き（鉛直面に沿った幅）３０ｍｍの木製ロッドを交差させて矩形の仕切枠３の外形に一致するように矩形枠状に組み立てた中支持枠３ｂと、汎用の厚さ２．５ｍｍの化粧板から中支持枠３ｂの外形に一致するように裁断され、中支持枠３ｂの左右の両側面に接着剤等で固着される一対の化粧板３ａ、３ａとから構成される。
【００３３】
背板分割板２０、２１、２２は、押入１に物を収容する際に正面側から外力を受けても背面側に撓まないように、各周囲の全体が、背板２に直交する左右の側板４、５や天板６等の板材に対して鋲着やネジ止め等で固定される。左右方向で隣接する一組の左側背板分割板２０と右側背板分割板２１の境界部についても、直交する仕切板３の背面に対して固定する必要があるが、仕切板３の背面の厚さは、隣接する一組の左側背板分割板２０と右側背板分割板２１の境界部を鋲着若しくはネジ止めするのに十分な幅に満たない。
【００３４】
すなわち、左側背板分割板２０若しくは右側背板分割板２１の境界部を、仕切板３の中支持枠（木製固定部）３ｂに対して釘打ちやネジ止めして固定するが、中支持枠３ｂの厚さｔが釘打ちやネジ止めが可能な最小幅δｍｉｎ未満であると中支持枠３ｂにクラックが生じたり割れて固定できない。この最小幅δｍｉｎは、釘やビスの大きさ、中支持枠３ｂの材質にもよるが、本実施の形態では１５ｍｍである。従って、隣接する一組の左側背板分割板２０と右側背板分割板２１の境界部のいずれも中支持枠３ｂに鋲着若しくはネジ止めするには、中支持枠３ｂの厚さｔを３０ｍｍ以上とする必要があるが、一方で、押入１内の空間を仕切る仕切板３や棚板８、９は、押入室１２やクローゼット１３等の収容空間を可能な限り拡大させるために所定の強度が得られる最小の厚さに設定されるので、中支持枠（木製固定部）３ｂの厚さｔは２０ｍｍとなっている。
【００３５】
そこで、本実施の形態では、図５に示すように、左右で隣接する一組の一方の左側背板分割板２０を、最小幅δｍｉｎの１５ｍｍ以上の１７．５ｍｍの左右方向幅δで中支持枠３ｂに重ね、左側背板分割板２０の境界部の中支持枠２０ｂから化粧板２０ａを貫通するビス１５を用いて仕切板３の中支持枠３ｂへネジ止めする。この左側背板分割板２０の境界部と仕切板３の背面側の固定は、境界部の上下に分かれた４カ所の位置でビス１５を用いてネジ止めしている。
【００３６】
また、左右で隣接する一組の他方の右側背板分割板２１は、仕切板３の背面で左側背板分割板２０の隣接させ、２．５ｍｍの左右方向幅ｔ−δで中支持枠３ｂに重ねるが、直接仕切板３へは固定せず、左側背板分割板２０との境界で隣接する裏当支持枠２０ａと裏当支持枠２０ｂ間をビス１６でネジ止めして、左側背板分割板２０に固定する。このビス１６による右側背板分割板２１と左側分割板２０との固定は、ビス１５に干渉しない裏当支持枠２０ｂの３カ所の位置に水平方向にビス１６を貫通させ、裏当支持枠２１ｂにネジ止めする。
【００３７】
これにより、隣接する一組の左側背板分割板２０と右側背板分割板２１の境界は、仕切板３に隠れて正面に表れず、また、右側背板分割板２１は左側背板分割板２０を介して仕切板３の背面に固定されるので、隣接する一組の左側背板分割板２０と右側背板分割板２１のいずれも薄い厚さｔとした仕切板３に位置決め支持される。
【００３８】
左側背板分割板２０と右側背板分割板２１の上記境界部を除く周囲は、裏当支持枠２０ｂ、２１ｂと化粧板２０ａ、２１ａを貫通するビス（図示せず）により、その正面側に対向する上部棚板８、左右の側板４、５及び底板７の背面にネジ止めされ、固定される。
【００３９】
本実施の形態では、左側背板分割板２０と右側背板分割板２１の上辺部をネジ止めして固定する上部棚板８も、仕切板３と同様の構造で、厚さ２０ｍｍの中支持枠の上面と下面に厚さ２．５ｍｍの化粧板を貼り付けてなるものであるので、左側背板分割板２０と右側背板分割板２１の上辺部と、その上方に隣接する上段側背板分割板２２の下辺部とを共にネジ止め可能とする厚さに満たない。
【００４０】
そこで、左側背板分割板２０と右側背板分割板２１の上辺部を上部棚板８の中支持枠の背面に下方から１７．５ｍｍ重ねてネジ止めすると共に、残る中支持枠の２．５ｍｍの背面に上段側背板分割板２２の下辺部を重ね、上段側背板分割板２２の裏当支持枠２２ｂを、その下方に隣接する左側背板分割板２０と右側背板分割板２１の裏当支持枠２０ａ、２１ａにネジ止めして固定する。
【００４１】
上段側背板分割板２２の上記下辺部を除く周囲は、その裏当支持枠２２ｂと化粧板２２ａを貫通するビス（図示せず）により、その正面側に対向する天板７と左右の側板４、５の背面にネジ止めして固定される。
【００４２】
上述の実施の形態では、ビス１５、１６を用いて、背板分割板間又は背板分割板と仕切板若しくは棚板をネジ止めして固定しているが、釘を用いて相互を鋲着してもよい。
【００４３】
また、仕切板３、上部棚板８は、２枚の化粧板と化粧板の間に固定される中支持枠とから構成されているが、その背面にビスや釘を用いて固定する最小幅δｍｉｎ以上の厚みがあれば、必ずしも化粧板を用いない一枚の板材から構成されるものであってもよい。
【００４４】
また、上述の実施の形態では、組み立て式収納庫として、押入室とクローゼットを有する組み立て式押入１で説明しているが、組み立て式収納庫は、押入室からなる押入やクローゼットであってもよい。
【産業上の利用可能性】
【００４５】
本発明は、建物の建築現場で組み立てる組み立て式収納庫に適している。
【符号の説明】
【００４６】
１  組み立て式押入
２  背板
３  仕切板
３ｂ  中支持枠（木製固定部）
４  左側板
５  右側板
６  天板
７  底板
８  上部棚板
９  下部棚板
１１  天袋
１２  押入室
１３  クローゼット
１５  ビス（第１連結具）
１６  ビス（第２連結具）
２０  左側背板分割板
２０ｂ  裏当支持枠２０ｂ
２１    右側背板分割板
２１ｂ  裏当支持枠２１ｂ
２２    上段側背板分割板
２２ｂ  裏当支持枠
【図１】
2017086818.tif 000003
【図２】
2017086818.tif 000004
【図３】
2017086818.tif 000005
【図４】
2017086818.tif 000006
【図５】
2017086818.tif 000007
【図６】
2017086818.tif 000008
【図７】
2017086818.tif 000009
【図８】
2017086818.tif 000010